(57)【特許請求の範囲】
【請求項１】
充電装置に載置されることによって充電される端末装置であって、
前記充電装置に載置されたことを検出する載置検出手段と、
この載置検出手段によって充電装置に載置されたことが検出された場合に、その充電装置を識別するための識別情報を取得する取得手段と、
前記充電装置を識別するための識別情報に対応付けて前記充電装置の設置場所に関連付けた充電条件を記憶する記憶部を参照し、前記取得手段によって取得された識別情報に対応付けられている前記充電条件を前記記憶部から読み出す読出手段と、
この読出手段によって読み出された前記充電条件に基づいて充電制御を行う制御手段と、
を具備したことを特徴とする端末装置。
【請求項２】
充電状態を検出する充電状態検出手段を更に備え、
前記読出手段は、充電装置を識別するための識別情報に対応付けて前記充電状態に応じて前記充電装置の設置場所に関連付けた充電条件を記憶する前記記憶部を参照し、前記取得手段によって取得された識別情報に対応付けられている前記充電条件を読み出し、
前記制御手段は、前記充電状態検出手段によって検出された充電状態と前記読出手段によって読み出された前記充電条件に基づいて充電制御を行う、
ようにしたことを特徴とする請求項１記載の端末装置。
【請求項３】
前記充電条件を指定する充電条件指定手段と、
この充電条件指定手段によって指定された前記充電条件と前記取得手段によって取得された識別情報とを対応付けて前記記憶部に記憶させる第１記憶制御手段と、
を更に備える、
ようにしたことを特徴とする請求項１記載の端末装置。
【請求項４】
前記取得手段によって取得された識別情報が前記充電条件と対応付けて前記記憶部に記憶されているか否かを判別する判別手段と、
この判別手段によって記憶されていないと判別された場合に、前記指定手段から充電条件を指定すべきことを促す報知を行う報知手段と、
を更に備える、
ようにしたことを特徴とする請求項３記載の端末装置。
【請求項５】
前記取得手段は、前記載置検出手段によって充電装置に所定時間以上継続して載置されていることが検出された場合に、その充電装置の識別情報を取得する、
ようにしたことを特徴とする請求項１記載の端末装置。
【請求項６】
充電装置に関連する関連情報を指定する関連情報指定手段と、
この関連情報指定手段によって指定された関連情報と前記取得手段によって取得された識別情報を対応付けて前記記憶部に記憶させる第２記憶制御手段と、
前記記憶部に記憶された関連情報を表示部に表示させる表示制御手段と、
を更に備える、
ようにしたことを特徴とする請求項１記載の端末装置。
【請求項７】
コンピュータに対して、
充電装置に載置されたことを検出する機能と、
前記充電装置に載置されたことが検出された場合に、その充電装置を識別するための識別情報を取得する機能と、
前記充電装置を識別するための識別情報に対応付けて前記充電装置の設置場所に関連付けた充電条件を記憶する記憶部を参照し、前記取得された識別情報に対応付けられている前記充電条件を前記記憶部から読み出す機能と、
前記読み出された前記充電条件に基づいて充電制御を行う機能と、
を実現させるためのプログラム。
【発明の詳細な説明】
【技術分野】
【０００１】
本発明は、充電装置に載置されることによって充電される端末装置及びプログラムに関する。
【背景技術】
【０００２】
一般に、携帯電話機などの端末装置を充電する充電装置としては、端末装置が載置されるだけで充電を開始するようにしたものが実用化されている。この種の充電装置は、非接触充電方式（例えば、電磁誘導方式）を採用し、金属電極が不要となるために防水や防塵構造を確保することができると共に、ショートする危険もなく、また、端末装置を置く位置や向きを気にすることもないなどの様々な利点を有するもので、例えば、従来では、充電用の一次コイルを備えた充電シート状の充電器を用いて、被充電機器を充電するようにした無接点充電システムが開示されている（特許文献１参照）。
【先行技術文献】
【特許文献】
【０００３】
【特許文献１】特開２００５−００６４４０号公報
【発明の概要】
【発明が解決しようとする課題】
【０００４】
しかしながら、上述のような充電の方法では、ユーザが端末装置を充電する意図がなくても、無接点充電装置に端末装置を載置するだけで、端末装置への充電が開始されてしまうという問題があった。
ところで、今後、無接点充電装置の使い方として、例えば、街中のレストランや喫茶店などのテーブルに無接点充電装置を内蔵しておくことによって、顧客が自己の端末装置をテーブルに置くだけで、端末装置への充電を可能とした顧客サービスを有料又は無料で提供されることが考えられる。このような顧客サービスでは、顧客が充電を意図しなくても端末装置をテーブルに置くだけで充電が開始されてしまい、不適切な充放電によって二次電池の劣化（電池容量の低下）を招く原因にもなる。
【０００５】
本発明の課題は、どのような充電装置に載置されたかに応じて、端末装置への充電を適切に制御できるようにすることである。
【課題を解決するための手段】
【０００６】
上述した課題を解決するために請求項１記載の発明は、充電装置に載置されることによって充電される端末装置であって、前記充電装置に載置されたことを検出する載置検出手段と、この載置検出手段によって充電装置に載置されたことが検出された場合に、その充電装置を識別するための識別情報を取得する取得手段と、前記充電装置を識別するための識別情報に対応付けて前記充電装置の設置場所に関連付けた充電条件を記憶する記憶部を参照し、前記取得手段によって取得された識別情報に対応付けられている前記充電条件を前記記憶部から読み出す読出手段と、この読出手段によって読み出された前記充電条件に基づいて充電制御を行う制御手段と、を具備したことを特徴とする。
【０００７】
請求項１に従属する発明として、充電状態を検出する充電状態検出手段を更に備え、前記読出手段は、充電装置を識別するための識別情報に対応付けて前記充電状態に応じて前記充電装置の設置場所に関連付けた充電条件を記憶する前記記憶部を参照し、前記取得手段によって取得された識別情報に対応付けられている前記充電条件を読み出し、前記制御手段は、前記充電状態検出手段によって検出された充電状態と前記読出手段によって読み出された前記充電条件に基づいて充電制御を行う、ようにしたことを特徴とする請求項２記載の発明であってもよい。
【０００８】
請求項１に従属する発明として、前記充電条件を指定する充電条件指定手段と、この充電条件指定手段によって指定された前記充電条件と前記取得手段によって取得された識別情報とを対応付けて前記記憶部に記憶させる第１記憶制御手段と、を更に備える、ようにしたことを特徴とする請求項３記載の発明であってもよい。
【０００９】
請求項３に従属する発明として、前記取得手段によって取得された識別情報が前記充電条件と対応付けて前記記憶部に記憶されているか否かを判別する判別手段と、この判別手段によって記憶されていないと判別された場合に、前記指定手段から充電条件を指定すべきことを促す報知を行う報知手段と、を更に備える、ようにしたことを特徴とする請求項４記載の発明であってもよい。
【００１０】
請求項１に従属する発明として、前記取得手段は、前記載置検出手段によって充電装置に所定時間以上継続して載置されていることが検出された場合に、その充電装置の識別情報を取得する、ようにしたことを特徴とする請求項５記載の発明であってもよい。
【００１１】
請求項１に従属する発明として、充電装置に関連する関連情報を指定する関連情報指定手段と、この関連情報指定手段によって指定された関連情報と前記取得手段によって取得された識別情報を対応付けて前記記憶部に記憶させる第２記憶制御手段と、前記記憶部に記憶された関連情報を表示部に表示させる表示制御手段と、を更に備える、ようにしたことを特徴とする請求項６記載の発明であってもよい。
【００１２】
また、上述した課題を解決するために請求項７記載の発明は、コンピュータに対して、充電装置に載置されたことを検出する機能と、前記充電装置に載置されたことが検出された場合に、その充電装置を識別するための識別情報を取得する機能と、前記充電装置を識別するための識別情報に対応付けて前記充電装置の設置場所に関連付けた充電条件を記憶する記憶部を参照し、前記取得された識別情報に対応付けられている前記充電条件を前記記憶部から読み出す機能と、前記読み出された前記充電条件に基づいて充電制御を行う機能と、を実現させるためのプログラムを特徴とする。
【発明の効果】
【００１３】
本発明によれば、どのような充電装置に載置されたかに応じて、端末装置への充電を適切に制御することができ、実用性に富んだものとなる。
【図面の簡単な説明】
【００１４】
【図１】端末装置として適用した携帯電話機１が利用可能な通信ネットワークシステムを示したブロック図。
【図２】携帯電話機１の基本的な構成要素を示したブロック図。
【図３】充電装置２の基本的な構成要素を示したブロック図。
【図４】携帯電話機１及び充電装置２の外観図で、２つの筐体を折り畳んだ状態の携帯電話機１を充電装置２に載置する場合を示した図。
【図５】携帯電話機１側の充電条件記憶部Ｍ１３を説明するための図。
【図６】携帯電話機１の全体動作の概要を示したフローチャート。
【図７】携帯電話機１側の充電開始処理（図６のステップＡ３）を詳述するためのフローチャート。
【図８】携帯電話機１側の充電継続処理（図６のステップＡ５）を詳述するためのフローチャート。
【図９】充電装置２側の全体動作の概要を示したフローチャート。
【図１０】（１）は、表示部１０６に表示された充電条件設定確認画面を示した図、（２）は、充電装置名指定画面を示した図、（３）は、充電条件指定画面を示した図。
【図１１】実施形態の変形例における充電条件記憶部Ｍ１３を説明するための図。
【発明を実施するための形態】
【００１５】
以下、図１〜図１０を参照して本発明の実施形態を説明する。
本実施形態は、端末装置として携帯電話機に適用した場合を例示したもので、図１は、この携帯電話機が利用可能な通信ネットワークシステムを示したブロック図である。
携帯電話機１は、例えば、２つの筐体（操作部筐体、表示部筐体）が開閉可能に取り付けられている折り畳みタイプの携帯電話機で、音声通話機能、電子メール機能、インターネット接続機能（Ｗｅｂアクセス機能）などを備え、この携帯電話機１に対する充電は、載置型の充電装置２に載置させることによって行うようにしている。
【００１６】
充電装置２は、携帯電話機１への充電が可能なもので、例えば、商用電源などに電源ケーブル３を介して接続されている。携帯電話機１は、最寄りの基地局４Ａ、交換機４Ｂから無線通信網（移動体通信網）４に接続されると、この無線通信網４を介して他の携帯電話機（図示省略）との間で通話可能な状態となる。また、携帯電話機１は、無線通信網４を介してインターネット５に接続されると、電子メールの送受信が可能となったり、Ｗｅｂページを閲覧可能となったりする。
【００１７】
図２は、携帯電話機１の基本的な構成要素を示したブロック図である。
中央制御部１０１は、二次電池ＢＡＴを備えた電池部１０２からの電力供給によって動作し、記憶部１０３内の各種のプログラムに応じてこの携帯電話機１の全体動作を制御する中央演算処理装置やメモリ（図示省略）などを有している。電池部１０２は、携帯電話機１が充電装置２に載置されている状態において、充電装置２との間で非接触充電方式（例えば、電磁誘導方式）によって充電が行われるもので、二次電池ＢＡＴ、充電用二次コイルＣＯＬ（２）のほか、充電切替部ＳＷＡ、電池電圧検出部ＢＶＤを有する構成となっている。
【００１８】
電池部１０２内の充電切替部ＳＷＡは、“充電”とその“抑制”とを切り替えるもので、例えば、スイッチングトランジスタなどによって構成され、中央制御部１０１は、この充電切替部ＳＷＡに対して、充電開始指示や充電抑制指示を与えることによって“充電”と“抑制”との切り替えを制御するようにしている。また、電池部１０２内の電池電圧検出部ＢＶＤは、二次電池ＢＡＴの電圧を取得してデジタル値（電池電圧値）に変換するもので、中央制御部１０１は、二次電池ＢＡＴの放電特性によって決められている複数の電圧範囲内のいずれかに電池電圧値が含まれているかに応じて電池残量（％）を検出するようにしている。
【００１９】
記憶部１０３には、プログラム記憶部Ｍ１１、各種情報一時記憶部Ｍ１２などのほか、後述する充電条件記憶部Ｍ１３が設けられている。なお、記憶部１０３は、例えば、ＳＤカード、ＩＣカードなど、着脱自在な可搬型メモリ（記録メディア）を含む構成であってもよく、図示しない所定の外部サーバ上にあってもよい。プログラム記憶部Ｍ１１は、後述する図６〜図８に示した動作手順に応じて本実施形態を実現するための基本プログラムやアプリケーションプログラム、それに必要な情報などを記憶する。各種情報一時記憶部Ｍ１２は、フラグ情報（後述する充電中フラグ、載置フラグなど）、画面情報など、携帯電話機１が動作するために必要な各種の情報を一時的に記憶するワーク領域である。なお、充電条件記憶部Ｍ１３については、後述するものとする。
【００２０】
無線通信部１０４は、図示しない無線部、ベースバンド部、多重分離部などを備え、例えば、通話機能、電子メール機能、インターネット接続機能などの動作時に、最寄りの基地局４Ａとの間でデータの送受信を行うもので、通話機能の動作時にはベースバンド部の受信側から信号を取り込んで受信ベースバンド信号に復調したのち、音声信号処理部１０５を介して通話用スピーカＳＰから音声出力させ、また、通話用マイクＭＣからの入力音声データを音声信号処理部１０５から取り込み、送信ベースバンド信号に符号化した後、ベースバンド部の送信側に与えてアンテナＡＮ１から発信出力させる。
【００２１】
表示部１０６は、高精細液晶や有機ＥＬを使用し、例えば、待受画像、アイコン、日時情報のほか、テキストデータ、メール、Ｗｅｂページなどを表示する。なお、表示部１０６は携帯電話機１に備えられている表示部としたが、外部モニタなど、任意の外部表示装置であってもよい。操作部１０７は、ダイヤル入力、文字入力、コマンド入力などを入力するもので、中央制御部１０１は、この操作部１０７からの入力操作信号に応じた処理を実行する。ＲＴＣ（リアルタイムクロックモジュール）１０８は、時計部を構成するもので、中央制御部１０１は、ＲＴＣ１０８から現在日時を取得する。
【００２２】
報知部１０９は、サウンドスピーカ１０９Ａ、発光部１０９Ｂ、振動モータ１０９Ｃを備え、着信時に駆動されて着信報知を行うほか、アラーム報知時、充電時にも駆動される。更に、発光部１０９Ｂは、携帯電話機１が充電装置２に載置されている状態においてその載置状況を報知する報知手段としても利用されるもので、例えば、ＬＥＤ（発光ダイオード）によって構成されているが、ＬＥＤに限らず、任意の発光体であってもよい。非接触通信部１１０は、携帯電話機１が充電装置２に載置されている状態において、充電装置２との間で非接触通信によってデータの送受信を、アンテナＡＮ２を介して行うもので、例えば、非接触ＩＣカード、Bluetooth（登録商標）、赤外線通信などの非接触タイプの近距離通信手段によって構成されている。中央制御部１０１は、この非接触通信部１１０から充電装置２に対して、充電を制御するための制御情報として充電の開始指示や充電の抑制指示を送信するようにしている。
【００２３】
図３は、充電装置２の基本的な構成要素を示したブロック図である。
充電装置２は、中央制御部２０１を中核とするもので、商用電源（図示省略）などから電源ケーブル接続部２０２を介して供給される電力によって動作する。中央制御部２０１は、記憶部２０３内の各種のプログラムに応じてこの充電装置２の全体動作を制御するもので、中央演算処理装置やメモリ（図示省略）などを有している。この記憶部２０３には、プログラム記憶部Ｍ２１、各種情報一時記憶部Ｍ２２、充電装置ＩＤ記憶部Ｍ２３などが設けられている。プログラム記憶部Ｍ２１は、後述する図９に示した動作手順に応じて本実施形態を実現するためのプログラムやそれに必要な情報などを記憶する。各種情報一時記憶部Ｍ２２は、フラグ情報、画面情報など、充電装置２が動作するために必要な各種の情報を一時的に記憶するワーク領域である。充電装置ＩＤ記憶部Ｍ２３は、自己（充電装置）を識別するための識別情報（例えば、製造番号など）を充電装置ＩＤとして記憶するもので、この充電装置ＩＤは、携帯電話機１側に送信される。
【００２４】
充電部２０４は、携帯電話機１が充電装置２に載置されている状態において、携帯電話機１との間で非接触充電方式（例えば、電磁誘導方式）によって充電を行うもので、１つ又は複数の充電用一次コイルＣＯＬ（１）のほか、“充電”とその“抑制”とを切り替える充電切替部（例えば、スイッチングトランジスタなど）ＳＷＢを有し、中央制御部２０１は、この充電切替部ＳＷＢに対して充電開始指示や充電抑制指示を与えて“充電”と“抑制”との切り替えを制御するようにしている。
【００２５】
非接触通信部２０５は、携帯電話機１が充電装置２に載置されている状態において、携帯電話機１との間で非接触通信によってデータの送受信を、アンテナＡＮ３を介して行うもので、例えば、非接触ＩＣカード、Bluetooth（登録商標）、赤外線通信などの非接触タイプの近距離通信手段によって構成されている。中央制御部２０１は、充電を制御するための制御情報として充電開始指示や充電抑制指示を、非接触通信部２０５を介して受信すると、それに応答して充電部２０４内の充電切替部ＳＷＢを制御してその切り替え動作を行わせる。操作部２０６は、電源オン／オフキーなどを備えている。発光部２０７は、携帯電話機１が充電装置２に載置された際に、その載置状況を報知するために、例えば、ＬＥＤを発光させるものである。
【００２６】
図４は、携帯電話機１及び充電装置２の外観図で、２つの筐体を折り畳んだ状態の携帯電話機１を充電装置２に載置する場合を示した図である。
携帯電話機１側の発光部１０９Ｂは、２つの筐体を折り畳んだ状態においてその一方の筐体の長さ方向一側面に設けられている。充電装置２は、その筐体全体が長方形状の薄型箱体を成し、その上面は携帯電話機１への充電時に携帯電話機１が載置される載置面２ａとなっている。なお、図４では図示省略したが、充電装置２を構成する筐体内においてその載置面２ａの下方には、１つ又は複数の充電用一次コイルＣＯＬ（１）が配設されている。また、充電装置２の一側面（正面）２ｂには、報知用の発光部２０７が設けられている。なお、図４では図示省略したが、充電装置２の背面には操作部２０６が設けられている。
【００２７】
図５は、携帯電話機１側の充電条件記憶部Ｍ１３を説明するための図である。
充電条件記憶部Ｍ１３は、充電装置２を識別する識別情報（充電装置ＩＤ）に対応付けて充電条件を記憶するもので、「充電装置ＩＤ」、「充電装置名」、「充電条件」の各項目を有し、その内容はユーザ操作によって任意に設定されたものである。「充電装置ＩＤ」は、携帯電話機１を充電装置２に載置させた際に、非接触通信部１１０を介して充電装置２側から受信取得したもので、図示の例は、“Ａ０１７４”、“Ａ００６３”、“Ａ２３９９”、“上記以外”を記憶させた場合である。
【００２８】
「充電装置名」は、充電装置２に関連する関連情報として、例えば、自宅にある充電装置２、勤務先にある充電装置２、良く行くレストランにある充電装置２などの充電装置２の名前を示したもので、図示の例では「充電装置ＩＤ」の“Ａ０１７４”に対応して“自宅の充電装置”を記憶させ、「充電装置ＩＤ」の“Ａ００６３”に対応して“○○（勤務先）の充電装置”を記憶させ、「充電装置ＩＤ」の“Ａ２３９９”に対応して“○○（レストラン）の充電装置”を記憶させ、「充電装置ＩＤ」の“上記以外”に対応して“その他の充電装置”を記憶させた場合である。なお、充電装置２に関連する関連情報としては、「充電装置名」に限らず、例えば、充電装置２が設置されている場所（自室、居間、部署など）、充電装置２の外観的な特徴（色、形状）、ニックネームなどであってもよい。
【００２９】
「充電条件」は、携帯電話機１が充電装置２に載置された際に、「充電装置ＩＤ」、「充電装置名」で示される充電装置２に対して充電を行う場合の条件として、現在の充電状態（電池残量）を示したもので、図示の例では「充電装置名」が“自宅の充電装置”に対応して“１００％未満で充電する”を記憶させ、“○○（勤務先）の充電装置”に対応して“８０％未満で充電する”を記憶させ、“○○（レストラン）の充電装置”に対応して“５０％未満で充電する”を記憶させ、“その他の充電装置”に対応して“３０％未満で充電する”を記憶させた場合である。中央制御部１０１は、充電装置２に載置された際に、この充電装置２を識別するための識別情報（充電装置ＩＤ）を受信取得すると共に、この充電装置ＩＤに基づいて充電条件記憶部Ｍ１３を参照し、当該充電装置ＩＤに対応付けられている「充電条件」を読み出すことによって、この「充電条件」に基づいた充電制御を行うようにしている。
【００３０】
次に、この実施形態における携帯電話機１及び充電装置２の動作を図６〜図１０に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００３１】
図６は、携帯電話機１の全体動作の概要を示したフローチャートである。図９は、充電装置２側の全体動作の概要を示したフローチャートである。
先ず、携帯電話機１側において中央制御部１０１は、電源を投入する電源オン操作が行われて電源がオンされている状態において（図６のステップＡ１でＹＥＳ）、充電装置２に載置されたことを検出したか、何らかの操作が行われたか、着信を検出したかなどを調べる。すなわち、充電装置２に載置されたことを検出したかを調べたり（ステップＡ２）、携帯電話機１が充電装置２に載置中であることを示す載置フラグが“１”であるかを調べたり（ステップＡ４）、充電装置２との載置が外れたかを調べたり（ステップＡ６）、電話着信を検出したかを調べたり（ステップＡ１０）、電源オフ操作が行われたかを調べたり（ステップＡ１２）、その他の操作が行われたかを調べたりする（ステップＡ１４）。
【００３２】
電話着信を検出したときには（ステップＡ１０でＹＥＳ）、通話可能状態とする通話処理を行った後（ステップＡ１１）、上述のステップＡ２に戻る。また、電源オフ操作が行われたときには（ステップＡ１２でＹＥＳ）、電源オフ処理を行った後（ステップＡ１３）、このフローの終了となるが、その他の操作が行われたときには（ステップＡ１４でＹＥＳ）、その操作に応じた処理として、例えば、発信処理などを行った後（ステップＡ１５）、上述のステップＡ２に戻る。
【００３３】
他方、充電装置２側において中央制御部２０１は、電源を投入する電源オン操作が行われたときには（図９のステップＢ１でＹＥＳ）、携帯電話機１からの充電装置ＩＤ要求を受信したかを調べたり（ステップＢ２）、携帯電話機１からの充電開始指示を受信したかを調べたり（ステップＢ４）、携帯電話機１からの充電抑制指示を受信したかを調べたり（ステップＢ７）、載置されている携帯電話機１が外されたかを調べたり（ステップＢ１０）、電源オフ操作が行われたかを調べたり（ステップＢ１１）、その他の操作が行われたかを調べたりする（ステップＢ１３）。いま、電源オフ操作が行われたときには（ステップＢ１１でＹＥＳ）、電源オフ処理を行った後（ステップＢ１２）、このフローの終了となるが、その他の操作が行われたときには（ステップＢ１３でＹＥＳ）、その操作に応じた処理を行った後（ステップＢ１４）、上述のステップＢ２に戻る。
【００３４】
いま、携帯電話機１側において、充電装置２に載置されたことを検出すると、つまり、携帯電話機１側の電池部１０２と充電装置２側の充電部２０４との間において、電磁誘導作用による起電力が所定値よりも大きくなって、携帯電話機１が充電装置２に載置されたことを検出したときには（図６のステップＡ２でＹＥＳ）、どのような充電装置２に載置されたのかに応じて充電開始を制御する充電開始処理に移る（ステップＡ３）。
【００３５】
図７は、携帯電話機１側の充電開始処理（図６のステップＡ３）を詳述するためのフローチャートである。
先ず、携帯電話機１側において中央制御部１０１は、充電装置２に載置されてから所定時間（例えば、３秒）が経過したかを調べ、所定時間が経過するまで待機状態となる（図７のステップＣ１）。なお、この所定時間は、例えば、１０秒、１５秒などユーザ操作によって任意に設定するようにしてもよい。いま、載置から所定時間の経過を検出すると（ステップＣ１でＹＥＳ）、充電装置２に非接触通信部１１０を介して充電装置ＩＤ要求を送信した後（ステップＣ２）、充電装置ＩＤの受信待ち状態となる（ステップＣ３）。
【００３６】
ここで、充電装置２側において中央制御部２０１は、携帯電話機１からの充電装置ＩＤ要求を、非接触通信部２０５を介して受信すると（図９のステップＢ２でＹＥＳ）、充電装置ＩＤ記憶部Ｍ２３に記憶されている自己の識別情報（製造番号などの充電装置ＩＤ）を読み出し、この充電装置ＩＤを、非接触通信部２０５を介して携帯電話機１に対して送信する（ステップＢ３）。その後、上述のステップＢ２に戻る。
【００３７】
いま、携帯電話機１側において中央制御部１０１は、充電装置２からの充電装置ＩＤを、非接触通信部１１０を介して受信すると（図７のステップＣ３でＹＥＳ）、この充電装置ＩＤを各種情報一時記憶部Ｍ１２に一時記憶させた後（ステップＣ４）、この充電装置ＩＤが充電条件に対応付けられて充電条件記憶部Ｍ１３に既に記憶されているか、つまり、「充電装置ＩＤ」と「充電条件」とが対の関係となるように、それらを対応付けて記憶されているかを調べる（ステップＣ５）。
【００３８】
ここで、図５に示すような内容が充電条件記憶部Ｍ１３に設定されている場合において、一時記憶の充電装置ＩＤが“Ａ０１７４”、“Ａ００６３”、“Ａ２３９９”のいずれかであれば、それに対応する「充電条件」が記憶されているので、上述のステップＣ５では“ＹＥＳ”と判断され、また、一時記憶の充電装置ＩＤが“Ａ０１７４”、“Ａ００６３”、“Ａ２３９９”以外であっても、“上記以外”に対応する「充電条件」が記憶されている場合には、上述のステップＣ５では“ＹＥＳ”と判断され、以下、この充電条件に基づいて充電制御を行う処理に移る（ステップＣ６〜Ｃ１６）。なお、この充電制御処理については、後述する。
【００３９】
一方、一時記憶の充電装置ＩＤに対応して「充電条件」が記憶されていない場合（ステップＣ５でＮＯ）、例えば、充電条件記憶部Ｍ１３に「充電条件」が全く記憶されていない場合、「充電条件」が記憶されていても一時記憶の充電装置ＩＤに対応する「充電条件」ではない場合には、この充電装置２に対応して充電条件を充電条件記憶部Ｍ１３に追加登録する処理に移る（ステップＣ１７〜Ｃ２１）。
【００４０】
先ず、充電条件を設定するか否かを確認するためのメッセージを表示部１０６に表示させる（ステップＣ１７）。図１０（１）は、表示部１０６に表示された充電条件設定確認画面を示したもので、この確認画面には、“この充電装置は充電条件が設定されていません”の確認メッセージが表示されるほか、“充電条件を設定しますか？”の確認メッセージが表示され、更に、充電条件の設定の有無を指定するタッチボタンとして「はい」及び「いいえ」のボタンが配設されている。いま、充電条件を設定しないことを指定するために「いいえ」ボタンが操作されたときには（ステップＣ１８でＮＯ）、図６のステップＡ２に戻るが、充電条件を設定することを指定するために「はい」ボタンが操作されたときには（ステップＣ１８でＹＥＳ）、充電装置２の関連情報（充電装置名）を指定するための充電装置名指定画面を表示部１０６に表示させて、充電装置名の指定操作を可能な状態にする（ステップＣ１９）。
【００４１】
図１０（２）は、充電装置名指定画面を示したもので、この指定画面には「充電装置ＩＤ」及び「充電装置名」の項目が設けられていると共に、「次へ」のタッチボタンが設けられている。この「充電装置ＩＤ」は、各種情報一時記憶部Ｍ１２に一時記憶されている充電装置ＩＤが読み出されて表示される項目であるのに対し、「充電装置名」は、ユーザ操作によって任意の情報を充電装置名として指定（入力）可能な項目となっており、この項目に充電装置名を指定（入力）した後、「次へ」のボタンが操作されると、充電条件を指定するための充電条件指定画面を表示部１０６に表示させて、充電条件の指定操作を可能な状態にする（ステップＣ２０）。
【００４２】
図１０（３）は、表示部１０６に表示された充電条件指定画面を示したもので、この指定画面には、“充電装置ＩＤ”、“充電装置名”、“電池残量”の項目が設けられていると共に、「設定」、「→」、「←」のタッチボタンが設けられている。“電池残量”は、充電条件として“○○○％未満で充電する”を指定する項目で、０％（充電なし）〜１００％（フル充電）の間で任意の数字を指定（入力）可能となっている。図示の例は、“電池残量”の初期値として“６０％未満で充電する”が表示されている場合で、この初期値の６０％をバー表示の白黒の割合によって明示するようにしている。
【００４３】
この初期値の６０％の数値とバー表示の白黒の割合は、「→」のボタンの操作に応じて増加され、「←」のボタンの操作に応じて減少される。なお、この「→」、「←」のボタンは、それを操作する毎に数値を＋１毎に更新させるためのキーである。なお、充電条件の“電池残量”を指定する場合には、ユーザ操作で選択する場合に限らず、数値キーを操作して直接入力するようにしてもよい。このようにしてユーザ操作によって充電条件の電池残量を指定した状態において「設定」のボタンが操作されると、この充電条件指定画面の内容を充電条件記憶部Ｍ１３に記憶させる処理に移り、充電条件指定画面内の「充電装置ＩＤ」、「充電装置名」、「電池残量」が対応付けられて充電条件記憶部Ｍ１３に追加登録される（ステップＣ２１）。
【００４４】
このようにして一時記憶の充電装置ＩＤと充電条件とを対応付けて充電条件記憶部Ｍ１３に追加登録する処理が終わると（ステップＣ１７〜Ｃ２１）、この充電装置ＩＤに対応する充電条件に基づいて充電制御を行う処理に移る（ステップＣ６〜Ｃ１６）。先ず、電池電圧検出部ＢＶＤからの電圧値に基づいて電池残量を検出した後（ステップＣ６）、一時記憶の充電装置ＩＤに対応する充電条件を充電条件記憶部Ｍ１３から読み出す（ステップＣ７）。そして、今回検出した電池残量と当該充電条件が示す電池残量とを比較し（ステップＣ８）、今回検出した電池残量は、その充電条件を満たすか否かに基づいて充電を開始するか否かを判別する（ステップＣ９）。
【００４５】
例えば、自宅の充電装置２に載置したときには、その充電条件として“１００％未満で充電する”が設定されているので、二次電池ＢＡＴがフル充電であるか否かによって充電を行うか否かを判別し、また、勤務先の充電装置２に載置したときには、その充電条件として“８０％未満で充電する”が設定されているので、二次電池ＢＡＴの電池残量が８０％未満であるか否かによって充電を行うか否かを判別する。また、レストランの充電装置２に載置したときには、その充電条件として“５０％未満で充電する”が設定されているので、二次電池ＢＡＴの電池残量が５０％未満であるか否かによって充電を行うか否かを判別し、その他の充電装置２に載置したときには、その充電条件として“３０％未満で充電する”が設定されているので、二次電池ＢＡＴの電池残量が３０％未満であるか否かによって充電を行うか否かを判別する。
【００４６】
いま、充電すると判別したときには（ステップＣ９でＹＥＳ）、非接触通信部１１０を動作させて、充電開始指示を充電装置２側の非接触通信部２０５に対して送信するほか（ステップＣ１０）、電池部１０２内の充電切替部ＳＷＡに対して充電開始指示を与え、充電可能状態に切り替えて充電を開始させる（ステップＣ１１）。そして、発光部１０９Ｂを発光（例えば、赤色点灯）させると共に（ステップＣ１２）、充電中であることを示すために充電中フラグを“１”とし（ステップＣ１３）、更に、充電装置２に載置中であることを示すために載置フラグを“１”とする（ステップＣ１４）。また、充電しないと判別したときには（ステップＣ９でＹＥＳ）、非接触通信部１１０を動作させて、充電抑制指示を充電装置２側の非接触通信部２０５に対して送信するほか（ステップＣ１５）、電池部１０２内の充電切替部ＳＷＡに対して充電抑制指示を与え、充電不可能な状態に切り替えて充電を抑制させた後（ステップＣ１６）、上述のステップＣ１４に移り、載置フラグを“１”とする。
【００４７】
このようにして携帯電話機１側において、図７の充電開始処理（図６のステップＡ３）が終わると、上述のステップＡ２に戻るが、いま、携帯電話機１が充電装置２に載置されていて、載置フラグが“１”となっているため、そのことがステップＡ４で検出されてステップＡ５に移り、現在の充電状態に応じて充電を継続するか否かを制御する充電継続処理を行う。
【００４８】
図８は、携帯電話機１側の充電継続処理（図６のステップＡ５）を詳述するためのフローチャートである。
先ず、中央制御部１０１は、充電中フラグは“１”であるかを調べ（ステップＤ１）、充電中フラグが“１”であれば（ステップＤ１でＹＥＳ）、電池電圧検出部ＢＶＤからの電圧値に基づいて電池残量を検出し（ステップＤ２）、電池残量は満充電（フル充電）状態の“１００％”であるかを調べる（ステップＤ３）。
【００４９】
いま、電池残量が１００％でなければ（ステップＤ３でＮＯ）、充電を継続させるために図６のステップＡ２に戻るが、電池残量が１００％であれば（ステップＤ３でＹＥＳ）、充電抑制指示を充電装置２側に対して送信するほか（ステップＤ４）、電池部１０２内の充電切替部ＳＷＡに対して充電抑制指示を与え、充電不可能な状態に切り替えて充電を抑制させる（ステップＤ５）。そして、発光部１０９Ｂを消光させた後（ステップＤ６）、充電中フラグを“０”とする（ステップＤ７）。その後、図６のステップＡ２に戻る。
【００５０】
また、充電中フラグが“０”であれば（ステップＤ１でＮＯ）、電池残量に応じて充電を開始させる処理に移る（ステップＤ８〜Ｄ１５）。すなわち、携帯電話機１が充電装置２に載置された載置直後には、電池残量が多く充電条件を満たさなかったために充電を開始しなかったが、載置されたまま時間が経過し、電池残量が少なくなって充電条件を満たすようになった場合に充電を開始させるために、充電開始処理に移る（ステップＤ８〜Ｄ１５）。また、電池残量が１００％になったため充電を一旦終了させたが、その後、載置されたまま時間が経過し、電池残量が少なくなって充電条件を満たすようになった場合には充電を開始させるために充電開始処理に移る（ステップＤ８〜Ｄ１５）。
【００５１】
先ず、電池電圧検出部ＢＶＤからの電圧値に基づいて電池残量を検出し（ステップＤ８）、図７のステップＣ４で一時記憶した充電装置ＩＤに対応する充電条件を充電条件記憶部Ｍ１３から読み出し（ステップＤ９）、この充電条件の電池残量と、今回検出した電池残量とを比較し（ステップＤ１０）、今回検出の電池残量は、充電条件を満たすか否かに基づいて充電するか否かを判別する（ステップＤ１１）。ここで、充電しないと判別したときには（ステップＤ１１でＮＯ）、図６ステップＡ２に戻るが、充電すると判別したときには（ステップＤ１１でＹＥＳ）、充電開始指示を充電装置２側に対して送信するほか（ステップＤ１２）、電池部１０２内の充電切替部ＳＷＡに対して充電開始指示を与え、充電可能状態に切り替えて充電を開始させる（ステップＤ１３）。そして、発光部１０９Ｂを発光（例えば、赤色点灯）させると共に（ステップＤ１４）、充電中フラグを“１”とする（ステップＤ１５）。
【００５２】
他方、充電装置２側では、携帯電話機１からの充電開始指示を、非接触通信部２０５を介して受信したときには（図９のステップＢ４でＹＥＳ）、中央制御部２０１は、充電部２０４内の充電切替部ＳＷＢに対して充電開始指示を与え、充電可能状態に切り替えて充電を開始させる（ステップＢ５）。そして、発光部２０７を発光（例えば、赤色点灯）させた後（ステップＢ６）、上述のステップＢ２に戻る。これによって携帯電話機１側及び充電装置２側が充電可能状態になると、充電部２０４内の充電用一次コイルＣＯＬ（１）と電池部１０２内の充電用二次コイルＣＯＬ（２）との間での電磁誘導によって、電池部１０２内の二次電池ＢＡＴへの充電が開始される。また、携帯電話機１からの充電抑制指示を、非接触通信部２０５を介して受信したときには（図９のステップＢ７でＹＥＳ）、中央制御部２０１は、充電部２０４内の充電切替部ＳＷＢに対して充電抑制指示を与え、充電不可能状態に切り替えて充電を抑制させる（ステップＢ８）。そして、発光部２０７を消光させた後（ステップＢ９）、上述のステップＢ２に戻る。
【００５３】
また、携帯電話機１が充電装置２に載置されている状態において、携帯電話機１側で、載置が外されたことを検出したときには（図６のステップＡ６でＹＥＳ）、電池部１０２内の充電切替部ＳＷＡに対して充電抑制指示を与え、充電不可能な状態に切り替えて充電を抑制させる（ステップＡ７）。そして、発光部１０９Ｂを消光させると共に（ステップＡ８）、載置フラグ、充電中フラグをそれぞれ“０”とした後（ステップＡ９）、上述のステップＡ２に戻る。
【００５４】
充電装置２側においても、載置されていた携帯電話機１が外されたことを検出したときには（図９のステップＢ１０でＹＥＳ）、充電部２０４内の充電切替部ＳＷＢに対して充電抑制指示を与え、充電不可能状態に切り替えて充電を抑制させる（ステップＢ８）。そして、発光部２０７を消光させた後（ステップＢ９）、上述のステップＢ２に戻る。これによって携帯電話機１と充電装置２との間での充電が終了するようになる。
【００５５】
以上のように、この実施形態において携帯電話機１は、充電装置２に載置されたことが検出された場合に、その充電装置を識別するための識別情報（充電装置ＩＤ）を取得すると共に、この充電装置ＩＤに対応付けて充電条件を記憶する充電条件記憶部Ｍ１３を参照し、取得した充電装置ＩＤに対応付けられている充電条件に基づいて充電制御を行うようにしたので、どのような充電装置２に載置されたのかに応じて、その充電装置２に対応する充電条件に基づいて携帯電話機１の充電を適切に制御することができ、不適切な充放電によって二次電池の劣化（電池容量の低下）を防止することができるなど、実用性に富んだものとなる。
【００５６】
携帯電話機１は、二次電池ＢＡＴの充電状態に応じた充電条件に基づいて充電制御を行うようにしたので、携帯電話機１をどのような充電装置２に載置したのかと、携帯電話機１の充電状態に応じて携帯電話機１の充電を適切に制御することができる。例えば、携帯電話機１が自宅の充電装置２に載置された場合には、電池残量が１００％未満であることを条件に充電を行い、勤務先の充電装置２に載置された場合には、電池残量が８０％未満であることを条件に充電を行い、レストランの充電装置２に載置された場合には、電池残量が“５０％未満であることを条件に充電を行うことができる。
【００５７】
携帯電話機１は、載置された充電装置２の充電条件を指定するようにしたので、ユーザの意向に応じて任意の充電条件を指定することができる。
【００５８】
携帯電話機１は、取得した充電装置ＩＤが充電条件と対応付けて充電条件記憶部Ｍ１３に記憶されていないと判別された場合に、充電条件を指定すべきことを促す報知を行うようにしたので、例えば、新たな充電装置２に載置させた場合でも、その充電装置２に対して指定した充電条件に基づいた充電制御が可能となる。
【００５９】
携帯電話機１は、充電装置２に所定時間以上継続して載置されていることが検出された場合に、その充電装置２の識別情報（充電装置ＩＤ）を取得するようにしたので、例えば、充電装置２に所定時間継続して載置された場合には、ユーザが意図的に載置である可能性が高いものと推測することができ、意図的な載置に応じて、携帯電話機１の充電を適切に制御することができる。
【００６０】
携帯電話機１は、充電装置２に関連する関連情報（充電装置名）を指定して充電条件記憶部Ｍ１３に記憶されている状態において、この関連情報を表示部に表示させるようにしたので、例えば、充電装置２の名称、設置場所、充電装置２の外観的な特徴（色、形状）、ニックネームなどを案内させることができ、ユーザにあっては充電装置２を容易に確認することが可能となる。
【００６１】
なお、上述した実施形態の充電条件記憶部Ｍ１３において「充電条件」は、現在の充電状態（電池残量）に応じて充電するか否かを制御するようにしたが、図１１に示すように現在の充電状態（電池残量）に応じて通常充電を行うか、急速充電を行うかを制御するようにしてもよい。すなわち、図示の例では「充電装置名」が“自宅の充電装置”に対応して“１００％未満で通常充電する”を記憶させ、“○○（勤務先）の充電装置”に対応して“３０％未満で急速充電する”を記憶させ、“その他の充電装置”に対応して“３０％未満で通常充電する”を記憶させた場合で、電池残量に応じて通常充電／急速充電の切り替えを制御するようにしてもよい。なお、“急速充電”とは、例えば、“通常充電”で１〜２時間要していた充電が１０分〜１５分の時間で足りる充電方法である。
【００６２】
また、上述した実施形態においては、携帯電話機１と充電装置２との間での電磁誘導方式によって充電を行う場合を示したが、電磁共鳴方式などの任意の方式によって非接触充電を行うようにしてもよい。また、上述した実施形態においては、携帯電話機１と充電装置２との間での電磁誘導作用による起電力が所定値よりも大きいことを条件に載置を検出するようにしたが、電磁共鳴作用が所定値よりも大きいことを条件に載置を検出するようにしてもよく、また、接触センサなどの任意の検出方法で載置を検出するようにしてもよい。また、任意の方式によって携帯電話機１と充電装置２とを直接的に接触させる接触充電方式で充電を行うようにしてもよい。
【００６３】
上述した各実施形態においては、携帯電話機１及び充電装置２側に配設した発光部として、ＬＥＤを示したが、着色型蛍光管など、任意の発光体であってもよい。また、発光部を点灯や点滅を行う際に、発光色を変えたり、輝度を変えたりするようにしてもよい。
【００６４】
また、上述した各実施形態において、“載置”とは充電装置２の上に携帯電話機１を載せる場合に限らず、例えば、携帯電話機１の上に充電装置２を載せたり、横向き状態の携帯電話機１と充電装置２とを近接させたり、その他、立てかけ式の充電装置２では、携帯電話機１を吊したりする場合など、携帯電話機１への充電が可能となるように、携帯電話機１と充電装置２とを任意の方向から接続することも含めるようにしてもよい。この場合、充電装置２の筐体の全体形状も矩形の箱体に限らず、任意である。
【００６５】
上述した各実施形態においては、折り畳みタイプの携帯電話機に適用したが、ストレートタイプ、スライドタイプ、スピントップタイプなど任意の筐体構造であってもよい。また、上述した実施形態においては、端末装置として携帯電話機を例示したが、これに限らず、例えば、パーソナルコンピュータ、ＰＤＡ、デジタルカメラ、音楽プレイヤー、それらの複合機など、任意の端末装置であってもよい。
【００６６】
上述した各実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００６７】
１  携帯電話機
２  充電装置
３  無線通信網
１０１、２０１  中央制御部
１０２  電池部
１０３、２０３  記憶部
１０９Ｂ、２０７  発光部
１１０、２０５  非接触通信部
１１１  スタイル検出部
２０４  充電部
ＢＡＴ  二次電池
ＣＯＬ（１）  充電用一次コイル
ＣＯＬ（２）  充電用二次コイル
ＳＷＡ、ＳＷＢ  充電切替部
【図１】
0005527799.tif 000002
【図２】
0005527799.tif 000003
【図３】
0005527799.tif 000004
【図４】
0005527799.tif 000005
【図５】
0005527799.tif 000006
【図６】
0005527799.tif 000007
【図７】
0005527799.tif 000008
【図８】
0005527799.tif 000009
【図９】
0005527799.tif 000010
【図１０】
0005527799.tif 000011
【図１１】
0005527799.tif 000012